(57)【要約】【解決手段】液晶表示ユニットＵが収容されたハウジング１と該ハウジングに取り付けられたフード３とを有するモニタ装置において、液晶表示ユニットの上部を、ヒンジ部材８を介して、ハウジングの天部１ａに回動自在に取り付けるとともに、液晶表示ユニットの下部を、ハウジングの底部に移動自在に取り付けたものである。【効果】液晶表示ユニットの上部を、ヒンジ部材を介して、ハウジングの天部に回動自在に取り付けるとともに、液晶表示ユニットの下部を、ハウジングの底部に移動自在に取り付けたことにより、液晶表示ユニットの傾斜角度を、容易に、且つ、迅速に、表示画面の視認性の最適位置に調整することができる。【選択図】図２
2006154592.tif 000002
【特許請求の範囲】
【請求項１】
液晶表示ユニットが収容されたハウジングと該ハウジングに取り付けられたフードとを有するモニタ装置において、前記液晶表示ユニットの上部を、ヒンジ部材を介して、前記ハウジングの天部に回動自在に取り付けるとともに、前記液晶表示ユニットの下部を、前記ハウジングの底部に移動自在に取り付けたことを特徴とするモニタ装置。
【請求項２】
上記液晶表示ユニットと上記ハウジングの天部とを、離反可能な雄ヒンジと雌ヒンジとからなるヒンジ部材により連結したことを特徴とする請求項１に記載のモニタ装置。
【請求項３】
上記フードの相対する側板を、外側に拡張させたことを特徴とする請求項１又は請求項２に記載のモニタ装置。
【発明の詳細な説明】
【技術分野】
【０００１】
本発明は、駅のホーム等に設置される液晶表示ユニットが収容されたモニタ装置に関するものである。
【背景技術】
【０００２】
液晶表示ユニットが収容されたハウジングと、ハウジングの前面部に取着されたフードとを有するモニタ装置が、特許文献１等に開示されている。
【０００３】
【特許文献１】特開２００１−３５９０２０号公報
【発明の開示】
【発明が解決しようとする課題】
【０００４】
上述した従来のモニタ装置においては、視野角が狭い液晶表示ユニットが、ハウジング内に固定的に取着されているために、直射日光の入射状況や、周囲に設置された蛍光灯等の照明装置の照明状況や、車両や周囲の建造物等の映り込み状況によっては、液晶表示ユニットに表示される種々の情報の視認性が悪く、モニタ装置による的確な監視が阻害されるという問題があった。
【０００５】
また、従来のモニタ装置においては、液晶表示ユニットが、ハウジング内に固定的に取着されているために、液晶表示ユニットの交換や修理のための取り外しに時間がかかるという問題があった。
【０００６】
本発明の目的は、上述した従来のモニタ装置が有する課題を解決することにある。
【課題を解決するための手段】
【０００７】
上述した目的を達成するために、液晶表示ユニットが収容されたハウジングと該ハウジングに取り付けられたフードとを有するモニタ装置において、第１には、液晶表示ユニットの上部を、ヒンジ部材を介して、ハウジングの天部に回動自在に取り付けるとともに、液晶表示ユニットの下部を、ハウジングの底部に移動自在に取り付けたものであり、第２には、液晶表示ユニットとハウジングの天部とを、離反可能な雄ヒンジと雌ヒンジとからなるヒンジ部材により連結することにより、液晶表示ユニットを、ハウジングから取り外し自在としたものであり、第３には、フードの相対する側板を、外側に拡張させたものである。
【発明の効果】
【０００８】
液晶表示ユニットの上部を、ヒンジ部材を介して、ハウジングの天部に回動自在に取り付けるとともに、液晶表示ユニットの下部を、ハウジングの底部に移動自在に取り付けたことにより、液晶表示ユニットの傾斜角度を、容易に、且つ、迅速に、表示画面の視認性の最適位置に調整することができる。
【０００９】
液晶表示ユニットとハウジングの天部とを、離反可能な雄ヒンジと雌ヒンジとからなるヒンジ部材により連結することにより、液晶表示ユニットを、ハウジングから取り外し自在としたので、液晶表示ユニットの修理や交換作業を、容易に、且つ、迅速に行うことができる。
【００１０】
フードの相対する側板を、外側に拡張させたので、液晶表示ユニットの表示画面が見えない位置から見える位置までの監視者の移動距離が短くて済み、従って、監視者による液晶表示ユニットの監視作業を迅速に行うことができるとともに、監視作業の作業性が向上する。
【実施例】
【００１１】
以下に、本発明の実施例について説明するが、本発明の趣旨を越えない限り、何ら、本実施例に限定されるものではない。
【００１２】
１は、公知の略箱型状のハウジングであり、ハウジング１は、天部１ａと底部１ｂと相対する側部１ｃと奥部１ｄとにより構成されており、奥部１ｄと相対する前面が開口されている。ハウジング１は、天部１ａに取着された支持ロッド２を介して、駅舎の天井や梁等の適当な支持部材に吊り下げられている。
【００１３】
３は、フードであり、フード３は、天板３ａと相対する略四半円状の側板３ｂとから形成されている。フード３の側板３ｂの上部角部には、上部透孔３ｃが形成されており、また、フード３の側板３ｂの下部角部には、上部角部付近に曲率半径の中心を有する適当数の下部円弧状長溝３ｄが穿設されている。なお、本実施例には、２個の下部円弧状長溝３ｄが穿設されている例が示されている。
【００１４】
一方、ハウジング１の開口側の側部１ｃの上部角部には、上述したフード３の側板３ｂの上部角部に穿設された上部透孔３ｃに対応して、図示されていない上部透孔が穿設されており、また、ハウジング１の開口側の側部１ｃの下部角部には、上述したフード３の側板３ｂの下部角部に穿設された下部円弧状長溝３ｄに対応して、図示されていない下部透孔が穿設されている。
【００１５】
ハウジング１の開口に、フード３を部分的に嵌合させ、その後、ハウジング１の側部１ｃの上部角部に穿設された上部透孔とフード３の側板３ｂの上部角部に穿設された上部透孔３ｃとを一致させ、また、ハウジング１の側部１ｃの下部角部に穿設された下部透孔とフード３の側板３ｂの下部角部に穿設された下部円弧状長溝３ｄとを一致させる。その後、ハウジング１の側部１ｃの上部角部に穿設された上部透孔とフード３の側板３ｂの上部角部に穿設された上部透孔３ｃとにボルトＢを挿通し、ボルトＢにナットＮを螺合させ、同様に、ハウジング１の側部１ｃの下部角部に穿設された下部透孔とフード３の側板３ｂの下部角部に穿設された下部円弧状長溝３ｄとにボルトＢを挿通し、ボルトＢにナットＮを螺合させることにより、ハウジング１に、フード３を取り付ける。
【００１６】
ナットＮを弛めた後、フード３を、ボルトＢが挿通されているハウジング１の側部１ｃの上部角部に穿設された上部透孔とフード３の側板３ｂの上部角部に穿設された上部透孔３ｃとを中心に回動させて、フード３の側板３ｂの下部角部に穿設された下部円弧状長溝３ｄ内に位置するボルトＢの位置を変えることにより、フード３のハウジング１に対する取り付け角度を調整することができるように構成されている。このように、フード３のハウジング１に対する取り付け角度を調整することにより、液晶表示ユニットへの直射日光の入射状況や、周囲に設置された蛍光灯等の照明装置の照明状況や、車両や周囲の建造物等の映り込み状況を調整し、液晶表示ユニットに表示される種々の情報の視認性を向上することができるように構成されている。
【００１７】
４は、ハウジング１の天部１ａと底部１ｂと相対する側部１ｃに嵌め込まれ、ネジやボルト・ナット等の適当な固着具や溶接等により、ハウジング１に取着された額縁状の固定フレームであり、固定フレーム４は、上部枠４ａと下部枠４ｂと相対する側枠４ｃとから構成されている。また、固定フレーム４は、上部枠４ａが、下部枠４ｂに比べて、ハウジング１の奥部１ｄ側に位置するように、後方（ハウジング１の奥部１ｄ方向）に傾斜して配置されている。
【００１８】
５は、額縁状の保護フレームであり、保護フレーム５は、上部枠５ａと下部枠５ｂと相対する側枠５ｃとから構成されており、保護フレーム５の開口部には、透明なアクリル樹脂板等の保護板５ｄが嵌め込まれている。保護フレーム５の上部枠５ａを、適当なヒンジ部材６を介して、固定フレーム４の上部枠４ａにヒンジ連結することにより、保護フレーム５は、固定フレーム４に当接し、固定フレーム４の開口部を遮蔽する位置と、ヒンジ部材６を中心に上方に回動した位置とに旋回可能に構成されている。
【００１９】
７は、固定フレーム４の上部枠４ａより、ハウジング１の奥部１ｄ側に位置するハウジング１の天部１ａに、上部枠４ａと略平行に、ネジやボルト・ナット等の適当な固着具や溶接等により取着された上部支持枠である。
【００２０】
８は、離反可能なヒンジ部材であり、ヒンジ部材８は、図３及び図４に示されているように、平板状の基板８ａ１の両端部に形成された軸受部８ａ２に支持された架橋軸８ａ３を有する雄ヒンジ８ａと、平板状の基板８ｂ１の中央部に形成された、側面形状が略Ｊ字状のフック８ｂ２を有する雌ヒンジ８ｂとから構成されている。
【００２１】
Ｕは、液晶表示ユニットであり、図３や図５等に示されているように、液晶表示ユニットＵの下面には、液晶表示ユニットＵの幅方向に対して略垂直に、下部板材ｕ１が、ネジやボルト・ナット等の適当な固着具や溶接等により取着されており、下部板材ｕ１には、ネジ孔ｕ１ａが穿設されている。なお、本実施例には、下部板材ｕ１が、所定の間隔を置いて、２個、取り付けられている例が示されている。
【００２２】
上述したヒンジ部材８を構成する雄ヒンジ８ａの基板８ａ１に穿設された透孔８ａ４にネジＳ１を挿通するとともに、ネジＳ１を、ハウジング１の天部１ａに取着された上部支持枠７の下面に形成されたネジ孔に螺合させることにより、上部支持枠７の下面に、雄ヒンジ８ａを取着する。なお、本実施例には、所定の間隔を置いて、２個の雄ヒンジ８ａが取着されている例が示されている。
【００２３】
また、上述したヒンジ部材８を構成する雌ヒンジ８ｂの基板８ｂ１に穿設された透孔８ｂ３にネジＳ１を挿通するとともに、ネジＳ１を、液晶表示ユニットＵの適当な上枠に螺合させることにより、雌ヒンジ８ｂを、フック８ｂ２が基板８ｂ１の上方に位置するように、液晶表示ユニットＵの適当な上枠に取着する。なお、液晶表示ユニットＵの上枠に、直に、雌ヒンジ８ｂを取着する代わりに、液晶表示ユニットＵの上枠に、Ｌ字状等の適当なの型枠を取着し、この型枠に、雌ヒンジ８ｂを取着するように構成することもできる。
【００２４】
ハウジング１の天部１ａに取着された上部支持枠７の下面に取り付けられた雄ヒンジ８ａの架橋軸８ａ３に、液晶表示ユニットＵの上枠に取着された雌ヒンジ８ｂのフック８ｂ２を引っ掛けることにより、液晶表示ユニットＵが、ハウジング１の天部１ａに取着された上部支持枠７に、取り外し自在に垂下されるように構成されている。
【００２５】
９は、ハウジング１の底部１ｂに取着された下部支持部材であり、図３や図５等に示されているように、下部支持部材９は、横長のガイド溝９ａ１が穿設されている板状の垂直部９ａと垂直部９ａの下端から水平に延在する板状の水平部９ｂとから形成されている。下部支持部材９の垂直部９ａが、ハウジング１の側部１ｃと略平行になるように、下部支持部材９の水平部９ｂを、ネジやボルト・ナット等の適当な固着具や溶接等により、上述した上部支持枠７の下方に位置するハウジング１の底部１ｂに取着する。下部支持部材９は、液晶表示ユニットＵの下面に取着された下部板材ｕ１に対応して、ハウジング１の底部１ｂに取着されており、本実施例には、液晶表示ユニットＵの下面に取着された２個の下部板材ｕ１に対応して、２個の下部支持部材９が、ハウジング１の底部１ｂに取着されている例が示されている。
【００２６】
上述したように、ハウジング１の天部１ａに取着された上部支持枠７の下面に取り付けられた雄ヒンジ８ａの架橋軸８ａ３に、液晶表示ユニットＵに取り付けられた雌ヒンジ８ｂのフック８ｂ２を引っ掛けることにより、液晶表示ユニットＵが、ハウジング１の天部１ａに取着された上部支持枠７に、取り外し自在に垂下されている。一方、液晶表示ユニットＵの下面に取着された一対の下部板材ｕ１を、ハウジング１の底部１ｂに取着された一対の下部支持部材９の垂直部９ａの間に、且つ、垂直部９ａに接近するように配置するとともに、下部板材ｕ１に形成されたネジ孔ｕ１ａを、下部支持部材９の垂直部９ａに穿設された横長のガイド溝９ａ１の一部と一致させる。次いで、ハウジング１の底部１ｂに取着された下部支持部材９の垂直部９ａに穿設されたガイド溝９ａ１に、適宜、ワッシャーＷ１を介して、調整ネジＳ２のネジ軸ｓ１を挿通するとともに、調整ネジＳ２のネジ軸ｓ１を、液晶表示ユニットＵの液晶表示ユニットＵの下面に取着された下部板材ｕ１に形成されたネジ孔ｕ１ａに螺合させ、調整ネジＳ２により、下部板材ｕ１と下部支持部材９の垂直部９ａとを圧接することにより、液晶表示ユニットＵの下面に取着された下部板材ｕ１を、ハウジング１の底部１ｂに取着された下部支持部材９の垂直部９ａに固定する。このようにして、ヒンジ部材８を介して、ハウジング１の天部１ａに取着された上部支持枠７に垂下されている液晶表示ユニットＵが動かないように構成されている。
【００２７】
液晶表示ユニットＵの表示画面の視認性が悪い場合には、液晶表示ユニットＵの傾斜角度を調整することになるが、液晶表示ユニットＵの傾斜角度を調整する際には、調整ネジＳ２を弛めて、液晶表示ユニットＵの下面に取着された下部板材ｕ１とハウジング１の底部１ｂに取着された下部支持部材９の垂直部９ａとの圧接状態を解除し、次いで、下部板材ｕ１に形成されたネジ孔ｕ１ａ及び下部支持部材９の垂直部９ａに穿設された横長のガイド溝９ａ１に挿通されている調整ネジＳ２を、下部支持部材９の垂直部９ａに穿設された横長のガイド溝９ａ１に沿って、適宜、移動させることにより、ヒンジ部材８を介して、ハウジング１の天部１ａに取着された上部支持枠７に垂下されている液晶表示ユニットＵの傾斜角度を調整する。その後、調整ネジＳ２を締め付け方向に回転させて、液晶表示ユニットＵの下面に取着された下部板材ｕ１とハウジング１の底部１ｂに取着された下部支持部材９の垂直部９ａとの圧接させて、液晶表示ユニットＵが動かないようにする。
【００２８】
上述したように、調整ネジＳ２を弛めて、調整ネジＳ２を、下部支持部材９の垂直部９ａに穿設された横長のガイド溝９ａ１に沿って、適宜、移動させることにより、液晶表示ユニットＵの傾斜角度を調整することができるので、直射日光の入射状況や周囲に設置された蛍光灯等の照明装置の照明状況や車両や周囲の建造物等の映り込み状況に応じて、液晶表示ユニットＵの傾斜角度を、容易に、且つ、迅速に、表示画面の視認性の最適位置に調整することができる。
【００２９】
なお、１０ａは、保護フレーム５の側枠５ｃに取着された枠板であり、１０ｂは、固定フレーム４の側枠４ｃに取着された係止板であり、１０ｃは、一端が、保護フレーム５の側枠５ｃに取着された枠板１０ａに枢着されているとともに、他端に、係止フック部１０ｃ１が形成された支持杆である。支持杆１０ｃの係止フック部１０ｃ１は、固定フレーム４の側枠４ｃに取着された係止板１０ｂに穿設された透孔１０ｂ１に挿入されるように構成されている。
【００３０】
液晶表示ユニットＵを修理や交換のために取り外す場合には、先ず最初に、保護フレーム５を、ヒンジ部材６を中心に上方に回動させて、固定フレーム４の開口部を開放する。固定フレーム４の開口部を開放した後、保護フレーム５の側枠５ｃに取着された枠板１０ａに枢着されている支持杆１０ｃの係止フック部１０ｃ１を、固定フレーム４の側枠４ｃに取着された係止板１０ｂに穿設された透孔１０ｂ１に挿入することにより、保護フレーム５が下方に回動しないように構成されている。
【００３１】
次いで、調整ネジＳ２を取り外し方向に回転させて、調整ネジＳ２を、液晶表示ユニットＵの下面に取着された下部板材ｕ１に形成されたネジ孔ｕ１ａ及びハウジング１の底部１ｂに取着された下部支持部材９の垂直部９ａに穿設されたガイド溝９ａ１から排出させることにより、下部板材ｕ１と下部支持部材９との係合を解除する。次いで、液晶表示ユニットＵを手で持ち上げて、液晶表示ユニットＵに取り付けられた雌ヒンジ８ｂのフック８ｂ２を、ハウジング１の天部１ａに取着された上部支持枠７に取り付けられた雄ヒンジ８ａの架橋軸８ａ３から外すことにより、液晶表示ユニットＵを、固定フレーム４の開口部を経て、ハウジング１から取り外すことができるように構成されている。
【００３２】
上述したように、ハウジング１の天部１ａに取着された上部支持枠７の下面に取り付けられた雄ヒンジ８ａの架橋軸８ａ３に、液晶表示ユニットＵに取り付けられた雌ヒンジ８ｂのフック８ｂ２を引っ掛けることにより、液晶表示ユニットＵを、上部支持枠７に垂下するように構成したことにより、液晶表示ユニットＵを、ハウジング１から取り外すことができ、従って、液晶表示ユニットＵを、修理や交換のために、容易に、且つ、迅速に、取り外すことができる。
【００３３】
なお、液晶表示ユニットＵの傾斜角度のみが調整できれば、液晶表示ユニットＵをハウジング１から取り外す必要がない場合には、上述したフック８ｂ２を有する雌ヒンジ８ｂと架橋軸８ａ３を有する雄ヒンジ８ａとからなるヒンジ部材８に代えて、通常の分離不可能なヒンジ部材を使用することができる。
【００３４】
図８には、別の実施例のフード３０が示されている。フード３０は、横長の基部用天板３０ａ１と、基部用天板３０ａ１の両端から、基部用天板３０ａ１に略垂直に垂下された相対する基部用側板３０ａ２とから形成された嵌合基部３０ａを有しており、基部用側板３０ａ２の上部角部には、上述したフード３の側板３ｂの上部角部に形成された上部透孔３ｃと同様の上部透孔３０ｂが形成されているとともに、基部用側板３０ａ２の下部角部には、上述したフード３の側板３ｂの下部角部に形成された下部円弧状長溝３ｄと同様の下部円弧状長溝３０ｃが形成されている。
【００３５】
相対する両側辺３０ｄ１が、後端辺３０ｄ２から先端辺３０ｄ３に向かうに従って、互いに離反するように形成された平面形状が略扇状のフード用天板３０ｄが、上述した嵌合基部３０ａを構成する基部用天板３０ａ１の先端辺に、基部用天板３０ａ１と略面一になるように連接されている。また、略扇状のフード用天板３０ｄの側辺３０ｄ１と嵌合基部３０ａを構成する基部用側板３０ａ２の先端辺とは、略四半円状のフード用側板３０ｅにより連結されている。このように構成することにより、相対するフード用側板３０ｅは、嵌合基部３０ａから遠ざかるに従って、互いに離反するように形成されている。
【００３６】
上述したように、相対するフード用側板３０ｅが、嵌合基部３０ａから遠ざかるに従って互いに離反するように、外側に拡張して形成されているので、図１に示されているように、相対する側板３ｂが平行なフード３に比べて、液晶表示ユニットＵの表示画面確認範囲Ｒを拡大することができる。
【００３７】
上述した液晶表示ユニットＵの表示画面確認範囲Ｒは、図９に示されているように、液晶表示ユニットＵの表示画面が見えない位置Ｐ１から、液晶表示ユニットＵの表示画面と平行に、液晶表示ユニットＵ方向に近づいて行った際に、液晶表示ユニットＵの表示画面が見えた位置Ｐ２と、更に、液晶表示ユニットＵの表示画面と平行に移動して、液晶表示ユニットＵの表示画面が見えなくなった位置Ｐ３との距離を、便宜的に、表示画面確認範囲Ｒと称したものである。
【００３８】
上述したように、相対するフード用側板３０ｅを、外側に拡張して形成したことにより、液晶表示ユニットＵの表示画面が見えない位置Ｐ１から見える位置Ｐ２までの監視者の移動距離が短くて済み、従って、監視者による液晶表示ユニットＵの監視作業を迅速に行うことができるとともに、監視作業の作業性が向上する。
【００３９】
なお、上述した実施例においては、１台の液晶表示ユニットＵが配設されたモニタ装置が開示されているが、複数の液晶表示ユニットＵを配設することもできる。
【図面の簡単な説明】
【００４０】
【図１】図１は、本発明のモニタ装置の斜視図である。
【図２】図２は、本発明のモニタ装置の一部側断面を含む側面図である。
【図３】図３は、本発明のモニタ装置を構成する液晶表示ユニットや下部支持部材等の分解斜視図である。
【図４】図４は、本発明のモニタ装置を構成する液晶表示ユニットや離反可能なヒンジ部材の分解斜視図である。
【図５】図５は、本発明のモニタ装置を構成する液晶表示ユニットや下部支持部材等の分解斜視図である。
【図６】図６は、本発明のモニタ装置の部分斜視図である。
【図７】図７は、同じく本発明のモニタ装置の部分斜視図である。
【図８】図８は、本発明のモニタ装置を構成する別の実施例のフードの斜視図である。
【図９】図９は、図８に示されているフードと図１に示されているフードとの表示画面確認範囲を説明するための概略平面図である。
【符号の説明】
【００４１】
Ｕ・・・・・・・・・・・・・・液晶表示ユニット
１・・・・・・・・・・・・・・ハウジング
３、３０・・・・・・・・・・・フード
４・・・・・・・・・・・・・・固定フレーム
５・・・・・・・・・・・・・・保護フレーム
７・・・・・・・・・・・・・・上部支持枠
８・・・・・・・・・・・・・・ヒンジ部材
９・・・・・・・・・・・・・・下部支持部材
【図１】
2006154592.tif 000003
【図２】
2006154592.tif 000004
【図３】
2006154592.tif 000005
【図４】
2006154592.tif 000006
【図５】
2006154592.tif 000007
【図６】
2006154592.tif 000008
【図７】
2006154592.tif 000009
【図８】
2006154592.tif 000010
【図９】
2006154592.tif 000011